(57)【特許請求の範囲】
【請求項１】
相互に電磁結合する受信コイル及び送信コイルと、増幅回路とを含む信号処理部を有して変周式地上子を検査する第１の検査回路部と、
トランスポンダ地上子から送信された電文を受信する受信コイル及び電文受信・解読部を有してトランスポンダ地上子を検査する第２の検査回路部と、
前記第１の検査回路部及び前記第２の検査回路部を択一的に選択する回路切替え手段と、を備え、
前記回路切替え手段は、前記第１の検査回路部と前記第２の検査回路部とに受信コイルを共有させ、前記送信コイルは、前記電磁結合する場合にのみ、前記受信コイルを介して接続する、地上子検査装置。
【発明の詳細な説明】
【技術分野】
【０００１】
本発明は、地上子を検査する地上子検査装置に関する。
【背景技術】
【０００２】
自動列車停止装置（いわゆる、ＡＴＳ装置）は、車上子が地上子に電磁的に結合したときに、車上側で地上側からの制御情報を受信し、その制御情報に応じた車両制御を行なう。ＡＴＳ装置には、例えば特許文献１に記載されているように、変周式地上子を用いるものと、トラスポンダ地上子を用いるものの２つのタイプが知られている。変周式地上子を用いたＡＴＳ装置は、増幅器と車上子からなる閉ループ型回路の発振器から単一の周波数の信号を発振し、この信号を受信した地上子によって共振周波数に変周された信号を受信する。これに対して、トランスポンダ地上子は、現示条件等を、デジタル情報である電文として送信し、これを車上装置によって受信し、解読する。
【０００３】
ＡＴＳ装置は、安全な列車運行に大きく関わるため、地上子の適切な検査は重要である。地上子を検査する場合、変周式地上子とトランスポンダとでは、送受信方式が上述したように異なることから、地上子の点検・保守作業には、それぞれの地上子に適合する２種類の検査装置を、検査現場に持ってゆかなければならず、保守点検作業員に多大な負担となっていた。
【先行技術文献】
【特許文献】
【０００４】
【特許文献１】特開平８−２０１４５４号公報
【発明の開示】
【発明が解決しようとする課題】
【０００５】
本発明の課題は、変周式地上子とトランスポンダ地上子とを、一台で検査でき、したがって、保守点検作業員の負担を軽減し得る地上子検査装置を提供することである。
【課題を解決するための手段】
【０００６】
上述した課題を解決するために、本発明に係る地上子検査装置は、相互に電磁結合する受信コイル及び送信コイルと、増幅回路とを含む信号処理部を有して変周式地上子を検査する第１の検査回路部と、変周式地上子から送信された電文を受信する受信コイル及び電文受信・解読部を有してトランスポンダ地上子を検査する第２の検査回路部と、
前記第１の検査回路部及び前記第２の検査回路部を択一的に選択する回路切替え手段と、を備え、前記回路切替え手段は、前記第１の検査回路部と前記第２の検査回路部とに受信コイルを共有させ、前記送信コイルは、前記電磁結合する場合にのみ、前記受信コイルを介して接続する。本発明に係る地上子検査装置によれば、回路切替え手段の操作により、変周式地上子を検査する第１の検査回路部及びトランスポンダ地上子を検査する第２の検査回路部を択一的に選択することができ、変周式地上子とトランスポンダ地上子とを、一台で検査できる。すなわち、第１の検査回路部は、互いに電磁結合する一対の受信コイル及び送信コイルを有して変周式地上子を検査するが、回路切替え手段は、第２の検査回路部に対して、第１の検査回路部の受信コイルを共有させることでトランスポンダ地上子をも検査することができる。
【０００７】
また、前記回路切替え手段は、前記第１の検査回路部の前記受信コイルと、前記信号処理部と、送信コイルとが閉ループの帰還型発振回路を構成するように、かつ、前記第２の検査回路部の前記電文受信・解読部が前記受信コイルと接続するように可動片を切り替えることが好ましい。これにより、地上子検査装置の回路切替え手段は、変周式地上子及びトランスポンダ地上子のそれぞれに対して切り替えが可能となり、地上子検査装置は変周式地上子とトランスポンダ地上子とを一台で検査することができる。
【発明の効果】
【０００８】
以上述べたように、本発明によれば、変周式地上子とトランスポンダ地上子とを、一台で検査でき、したがって、保守点検作業員の負担を軽減し得る地上子検査装置を提供することができる。
【図面の簡単な説明】
【０００９】
【図１】本発明に係る地上子検査装置の構成を示すブロック図である。
【図２】本発明に係る地上子検査装置を、変周式地上子の検査に供した状態を示す図である。
【図３】本発明に係る地上子検査装置を、トラスポンダ地上子の検査に供した状態を示す図である。
【発明を実施するための最良の形態】
【００１０】
図１を参照すると、本発明に係る地上子検査装置は、変周式地上子を検査する第１の検査回路部分１と、トランスポンダ地上子を検査する第２の検査回路部分２と、回路切替え手段４とを含む。一般論として、変周式地上子を用いたＡＴＳ装置では、互いに電磁結合する受信コイル及び送信コイルと、増幅回路とによって、帰還型発振回路を構成する車上子が、特定の共振周波数を持つＬＣ回路で構成される地上子の上を通過すると、電磁結合により、車上子の発振周波数が地上子の共振周波数に変周される。この周波数をフィルタ回路で検出して地上情報を得る。
【００１１】
このような変周式地上子を検査する第１の検査回路部分１は、車上子と同様の回路構成、即ち、送信コイル３１と、受信コイル３２と、増幅回路を含む信号処理部１１とを含んでいる。受信コイル３２及び送信コイル３１は、互いに電磁的に結合しており、更に、検査対象である地上子と結合する。信号処理部１１で処理された結果は、第１の表示部１２に表示される。
【００１２】
次に、トランスポンダ地上子は、車上子と結合したとき、デジタル情報である電文として送信するものである。トランスポンダ地上子は、地上側の電源から動作電源が供給される有電源タイプと、車上側から送信される電力波を受信して動作電源を作る無電源タイプの２種類が知られている。何れのタイプであっても、本発明を適用することが可能であるが、実施例では、有電源タイプのものを示してある。それに対応して、第２の検査回路部２は、電文受信・解読部２１を備えており、更に、電文受信・解読部２１で解読された結果を表示する第２の表示部２２を有する。
【００１３】
回路切替え手段４は、変周式地上子を検査する第１の検査回路部分１及びトランスポンダ地上子を検査する第２の検査回路部２を、択一的に選択する。回路切替え手段４は、基本的には、有接点又は無接点方式のスイッチ回路であり、操作ボタン等によって、外部から操作できる構成になっている。図示の回路切替え手段４において、シンボル的に表示された可動片４０が、第１の検査回路部１に接続された第１の接点４２と、第２の検査回路部２に接続された第２の接点４３との間で切り替えられる。可動片４０の一端である固定接点４１には、受信コイル３２が接続されている。
【００１４】
第１の検査回路部１、第１の表示部１２、第２の検査回路部２、第２の表示部２２及び回路切替え手段４、送信コイル３１及び受信コイル３２は、ケース５の内部に収納され、一台の検査機器を構成する。当然のことであるが、送信コイル３１及び受信コイル３２の隣接するケース面部５１は、電磁波通過を妨げない非磁性、非導電性の材料によって構成する。
【００１５】
図１は、本発明の持つ技術思想を原理的に説明するもので、当業者であれば、この図１の示すところに従って、実際的・実用的な回路構成を実現することができる。
【００１６】
上述した本発明に係る地上子検査装置によれば、回路切替え手段４を操作することにより、変周式地上子を検査する第１の検査回路部１及びトランスポンダ地上子を検査する第２の検査回路部２を、択一的に選択することができるから、変周式地上子とトランスポンダ地上子とを、一台で検査でき、したがって、保守点検作業員の負担を軽減し得る地上子検査装置を実現することができる。この点について、更に、図２及び図３を参照して、更に詳しく説明する。
【００１７】
まず、図２を参照すると、変周式地上子７の検査に当たり、回路切替え手段４の可動片４０を、第１の接点４２に接続させる。これにより、受信コイル３２と、信号処理部１１と、送信コイル３１とによる閉ループの帰還型発振回路が構成される。そこで、被検査対象である変周式地上子７の上に、当該地上子検査装置を近づけると、受信コイル３２と、信号処理部１１と、送信コイル３１とで構成される第１の検査回路部１の発振周波数が、地上子７のＬＣ回路７１の持つ共振周波数に変周される。そして、その検査結果である共振周波数、Ｑ等が、第１の表示部１２に表示される。
【００１８】
次に、図３を参照すると、トランスポンダ地上子８の検査に当たっては、回路切替え手段４の可動片４０を、第２の接点４３に接続させる。これにより、第２の検査回路部２が選択され、受信コイル３２が、受信・解読部２１に接続される。したがって、トランスポンダ地上子８の送信部８１及び情報送信アンテナ８２から送信された電文が、受信コイル３２及び回路切替え部４を通して、受信・解読部２１に入力され、その受信・解読が行われ、その結果が、第２の表示部２２に表示される。トランスポンダ地上子８は、この実施例では、有電源タイプのものを示してあり、外部から、電源や現示条件等が入力される。
【００１９】
したがって、本発明によれば、変周式地上子７とトランスポンダ地上子８とを、一台で検査でき、保守点検作業員の負担を軽減し得る地上子検査装置を実現することができる。
【００２０】
以上、好ましい実施例を参照して本発明の内容を具体的に説明したが、本発明の基本的技術思想及び教示に基づいて、当業者であれば、種々の変形態様を採り得ることは自明である。例えば、実施例では、有電源タイプのトラスポンダ地上子のための検査装置を示したが、無電源タイプのトラスポンダ地上子の検査装置としては、電力波送信アンテナを備えることになる。また、多変周式の地上子の検査装置として、多変周に応じた回路構成を採ることができる。
【符号の説明】
【００２１】
１                    第１の検査回路部
２                    第１の検査回路部
３１                  送信コイル
３２                  受信コイル
【図１】
0005872164.tif 000002
【図２】
0005872164.tif 000003
【図３】
0005872164.tif 000004